(57)【要約】【課題】それ自体で自立でき、整理棚、整理用ケースなどに整然と配列するのに適し、しかも、収納されたディスク状記録媒体及び書類の収納、取り出しの容易な収納ケースを提供すること。【解決手段】ディスク収納部１は、ディスク状記録媒体３を収納する部分であり、書類収納部２は、書類４を収納する部分である。ディスク収納部１及び書類収納部２は、全体として、硬質であって、互いに一体化されている。ディスク収納部１及び書類収納部２のそれぞれは、相対向する２つの主面（１１、１２）、（２１、２２）と、少なくとも1つの側面（１３、２３）と、底面（１４、２４）とを有し、少なくとも、底面（１４、２４）と対向する上面側が開口（１５、２５）されている。２つの主面（１１、１２）、（２１、２２）の少なくとも一方（１１、２１）は、開口端縁が傾斜縁（１１１、２１１）となっている。【選択図】図１
2007307872.tif 000002
【特許請求の範囲】
【請求項１】
ディスク収納部と、書類収納部とを含む収納ケースであって、
前記ディスク収納部は、ディスク状記録媒体を収納する部分であり、
前記書類収納部は、書類を収納する部分であり、
前記ディスク収納部及び前記書類収納部は、全体として、硬質であって、互いに一体化されており、
前記ディスク収納部及び前記書類収納部のそれぞれは、相対向する２つの主面と、少なくとも1つの側面と、底面とを有し、少なくとも、前記底面と対向する上面側が開口されており、
前記２つの主面の少なくとも一方は、開口端縁が傾斜縁となっている、
収納ケース。
【請求項２】
請求項１に記載された収納ケースであって、前記側面にフック部を有する収納ケース。
【発明の詳細な説明】
【技術分野】
【０００１】
本発明は、ディスク状記録媒体及び付属の書類を収納するのに適した収納ケースに関する。
【背景技術】
【０００２】
例えば、パソコン用プログラムを格納したＣＤ−ＲＯＭや、ＤＶＤ−ＲＯＭ等（以下ＣＤと称する）のディスク状記録媒体は、その取り扱い説明書等の付属書類とともに、ユーザに供給される。これらを、ユーザが保管する場合、薄い透明なプラスチックフィルムでなる収納袋、ＣＤケース又はＣＤケース収納箱に、ＣＤ及び付属書類を一緒にまとめて収納するか、又は、ＣＤと付属書類とを別々に保管するのが一般的である。
【０００３】
しかし、収納袋は、それ自体で自立できる程度の厚みも、硬さもないし、また、その外形形状が収納されているＣＤ及び付属書類の形態に応じて無限に変化してしまうため、整理棚、整理用ケースなどに整然と配列することができず、その保管に難儀することになる。
【０００４】
ＣＤケースやＣＤケース収納箱を用いる場合には、書類を無理に押し込むことになるので、ＣＤ保護に好ましくないし、書類の量によっては、その全部がケース内に入りきらないこともある。ＣＤと付属書類とを別々に保管した場合は、両者の組み合わせが不明になりやすく、使い勝手が悪くなる。
【０００５】
一つの選択できる手法として、特許文献１に開示されたアルバム形式で保管する手法も考えられるが、アルバム形式で保管できる数に限界があり、また、雑然性を免れず、差込、取り出しが必ずしも容易ではない。しかも、この先行技術では、整然と配列するのに適した整理棚や整理用ケースなどへの配列を考慮していない。
【特許文献１】特開２００５−２９７５４２号公報
【発明の開示】
【発明が解決しようとする課題】
【０００６】
本発明の課題は、それ自体で自立でき、整理棚、整理用ケースなどに整然と配列するのに適し、しかも、収納されたディスク状記録媒体及び書類の収納、取り出しの容易な収納ケースを提供することである。
【課題を解決するための手段】
【０００７】
上述した課題を解決するため、本発明に係る収納ケースは、ディスク収納部と、書類収納部とを含む。前記ディスク収納部は、ディスク状記録媒体を収納する部分であり、前記書類収納部は、書類を収納する部分である。前記ディスク収納部及び前記書類収納部は、全体として、硬質であって、互いに一体化されている。
【０００８】
前記ディスク収納部及び前記書類収納部のそれぞれは、相対向する２つの主面と、少なくとも１つの側面と、底面とを有し、少なくとも、前記底面と対向する上面側が開口されており、前記２つの主面の少なくとも一方は、開口端縁が傾斜縁となっている。
【０００９】
上述したように、本発明に係る収納ケースでは、ディスク収納部及び書類収納部が互いに一体化されているから、同一の収納ケースに、ディスク状記録媒体及び付属の書類を、まとめて保管することができる。
【００１０】
しかも、ディスク収納部及び書類収納部が、全体として、硬質であることに加え、ディスク収納部及び書類収納部のそれぞれは、相対向する２つの主面と、少なくとも１つの側面と、底面とを有するから、それ自体で自立でき、整理棚、整理用ケースなどに整然と配列することができる。
【００１１】
さらに、ディスク収納部及び書類収納部のそれぞれにおいて、２つの主面の少なくとも一方は、開口端縁が傾斜縁となっているから、ディスクの出し入れ口となる開口部の開口面積が、傾斜縁によって拡大され、傾斜縁によって切り取られた部分に、ディスク状記録媒体又は書類が現れることになるから、収納されたディスク状記録媒体及び書類の収納、取り出しが容易になる。
【００１２】
本発明に係る収納ケースは、収納ケースの側面にフック部を設けることもできる。この場合には、整理棚や整理ケースに横バーを設け、これに収納ケースのフック部を掛け止める保管態様を採ることができ、さらに、整理性、配列性及び保管性が向上する。
【発明の効果】
【００１３】
以上述べたように、本発明によれば、それ自体で自立でき、整理棚、整理用ケースなどに整然と配列するのに適し、しかも、収納されたディスク状記録媒体及び書類の収納、取り出しの容易な収納ケースを提供することができる。
【００１４】
本発明の他の目的、構成及び利点については、添付図面を参照し、更に詳しく説明する。但し、添付図面は、単なる例示に過ぎない。
【発明を実施するための最良の形態】
【００１５】
図１は、本発明に係る収納ケースの一例を示す斜視図である。図示の収納ケースは、ディスク収納部１と、書類収納部２とを含む。ディスク収納部１は、ディスク状記録媒体３を収納する部分であり、書類収納部２は、書類４を収納する部分である。図１では、既に、ディスク状記録媒体３及び書類４を収納した使用状態を示している。ディスク状記録媒体３は、パソコン用プログラムを格納したＣＤ−ＲＯＭや、ＤＶＤ−ＲＯＭ等、即ちＣＤであり、書類４はその取り扱い説明書等の付属書類である。
【００１６】
ディスク収納部１及び書類収納部２は、全体として、硬質であって、互いに一体化されている。このようなディスク収納部１及び書類収納部２は、例えば厚手の紙材、又は、プラスチック材によって構成することができる。一体化に当たっては、ディスク収納部１及び書類収納部２に共通の背板１０を用い、この背板１０の一面上に、ディスク収納部１及び書類収納部２を形成する。図示の実施例では、背板１０の上下方向に、若干の間隔を隔てて、ディスク収納部１及び書類収納部２を形成してある。ディスク収納部１、書類収納部２及び背板１０は、成形によって一体的に形成してもよいし、接合技術を適用して一体化してもよい。
【００１７】
ディスク収納部１は、相対向する２つの主面１１、１２と、側面１３と、底面１４とを有する。側面１３と対向する他側面は開口されている。また、底面１４と対向する上面側が開口１５とされており、主面１１、１２の少なくとも一方、例えば主面１１は、開口端縁が傾斜縁１１１となっている。傾斜縁１１１は図示の直線状に限らず、凹曲線、凸曲線もしくは折れ線又はそれらの組み合わせであってもよい。主面１１のみならず、主面１２にも、同様の傾斜縁を設けてもよい。図示実施例において、主面１２は背板１０の一部を構成する。
【００１８】
書類収納部２も、相対向する２つの主面２１、２２と、少なくとも１つの側面２３と、底面２４とを有し、少なくとも、底面２４と対向する上面側が開口されており、主面２１、２２の少なくとも一方、例えば、主面２１は、開口端縁が傾斜縁２１１となっている。傾斜縁２１１は図示の直線状に限らず、凹曲線、凸曲線もしくは折れ線又はそれらの組み合わせであってもよい。主面２２は背板１０の一部を構成する。
【００１９】
上述したように、本発明に係る収納ケースでは、ディスク収納部１及び書類収納部２が互いに一体化されているから、同一の収納ケースに、ディスク状記録媒体３及び付属の書類４を、まとめて保管することができる。
【００２０】
しかも、ディスク収納部１及び書類収納部２が、全体として、硬質であることに加え、ディスク収納部１及び書類収納部２のそれぞれは、相対向する２つの主面（１１、１２）、（２１、２２）と、側面１３、２３と、底面１４、２４とを有するから、それ自体で自立でき、整理棚、整理用ケースなどに整然と配列することができる。
【００２１】
さらに、ディスク収納部１及び書類収納部２のそれぞれにおいて、２つの主面（１１、１２）（２１、２２）の少なくとも一方、例えば主面１１、２１は、開口端縁が傾斜縁１１１、２１１となっているから、ディスク状記録媒体３や書類４の出し入れ口となる開口部の開口面積が、傾斜縁１１１、２１１によって拡大され、傾斜縁１１１、２１１によって切り取られた部分に、ディスク状記録媒体３又は書類４が現れることになるから、ディスク状記録媒体３及び書類４の収納、取り出しが容易になる。
【００２２】
さらに、図示実施例では、側面１３の適当な位置にフック５を設けてある。フック５は、側面１３の側に開口しに、上方（図において）に上昇傾斜する切欠溝で構成されている。この場合には、図２に図示するように、整理棚や整理ケース６において、相対向するように配置された支持体６１、６２に横バー６３、６４を設け、この横バー６３にフック６を掛け止める保管態様を採ることができ、さらに、整理性、配列性及び保管性が向上する。横バー６３、６４は間隔を隔てて併設されており、横バー６４は収納ケースの下側を受け、その遥動を阻止する。
【００２３】
図３は本発明に係る収納ケースの別の実施例を示す斜視図である。図において、図１に現れた構成部分に相当する部分については、同一の参照符号を付してある。この実施例の特徴は、ディスク収納部１及び書類収納部２は、横並びに配置されている。書類収納部２は、主面の一部を、ディスク収納部１の主面１１１を利用している。この実施例の場合も、図１に示したものと、同等の作用効果を奏する。
【００２４】
図４は本発明に係る収納ケースの別の実施例を示す斜視図である。図において、図１、図３に現れた構成部分に相当する部分については、同一の参照符号を付してある。この実施例の特徴は、併設されたディスク収納部１及び書類収納部２の上方、つまり、開口部１５、２５の上方に、例えば、付属部品を収納する収納部を設けたことである。図示の収納部は、主面１６、これと対向するもう一つの主面１７、側面１８及び底面２０を有し、底面２０と対向する上面が開口面１９となっている。また、側面１８と対向する他の側面も開口されている。この実施例の場合も、図１、図３に示したものと、同等の作用効果を奏する他、追加された収納部に付属部品を収納できるという利点が得られる。
【００２５】
以上、好ましい実施例を参照して本発明の内容を具体的に説明したが、本発明の基本的技術思想及び教示に基づいて、当業者であれば、種々の変形態様を採り得ることは自明である。
【図面の簡単な説明】
【００２６】
【図１】本発明に係る収納ケースの使用状態を示す斜視図である。
【図２】図１に示した収納ケースの整理方法の一例を示す斜視図である。
【図３】本発明に係る収納ケースの別の実施例を示す斜視図である。
【図４】本発明に係る収納ケースの更に別の実施例を示す斜視図である。
【符号の説明】
【００２７】
１              ディスク収納部
２              書類収納部
１１              主面
１１１              傾斜縁
２１              主面
２１１              傾斜縁
【図１】
2007307872.tif 000003
【図２】
2007307872.tif 000004
【図３】
2007307872.tif 000005
【図４】
2007307872.tif 000006